(57)【特許請求の範囲】
【請求項１】
刈取部（３）から機体外側に沿って前後方向に延びるロッド部材による分草ガイド（１３）と、この分草ガイド（１３）を機体の外側方に張り出させて植立穀稈をガイドする張出位置と機体に近接する収納位置とに切替える折畳みリンクによる開閉機構（１４）とからなる開閉式ナローガイド装置（７）を備えるコンバインにおいて、
上記開閉機構（１４）は、折畳みリンクの駆動側リンク（１４ａ）と一体で回動する駆動軸（１４ｂ）を刈取部（３）の外側の部位に軸支するとともに、該駆動軸（１４ｂ）の下端に駆動軸（１４ｂ）を正逆方向に回動させる開閉切替部（１５）を備え、かつ、平面視において該開閉切替部（１５）の動作領域を囲むように前後に延びるロッド部材からなる補助分草体（１６）を設けたことを特徴とするコンバイン。
【請求項２】
前記補助分草体（１６）は、刈取部（３）に設けた取付部材（２３，２４）を介して着脱可能に取付けたことを特徴とする請求項１記載のコンバイン。
【請求項３】
前記補助分草体（１６）を開閉機構（１４）の開閉切替部（１５）よりも低い位置に配置したことを特徴とする請求項１または請求項２記載のコンバイン。
【発明の詳細な説明】
【技術分野】
【０００１】
本発明は、刈取部外側部の開閉機構によって開閉可能な分草ガイドとからなる開閉式ナローガイド装置を備えたコンバインに関するものである。
【背景技術】
【０００２】
特許文献１に記載のように、開閉式ナローガイド装置を備えたコンバインが知られている。上記ナローガイド装置は、植立穀稈を走行機体の先端の刈取部から機体外側に沿って前後方向にガイドしうるロッド部材による分草ガイドと、この分草ガイドを刈取時ガイド用の張出位置と刈取終了後の収納位置とに切替える開閉機構およびその開閉切替部とからなり、レバー操作により必要に応じて分草ガイドを張出位置と収納位置とに切替えることができる。
【先行技術文献】
【特許文献】
【０００３】
【特許文献１】特開２００９−２６１３０１号公報
【発明の概要】
【発明が解決しようとする課題】
【０００４】
しかしながら、分草ガイドの開閉切替部が露出しているため、分草ガイドを使用している場合にあっても、開閉機構の開閉切替部が刈取部の外側部に突出し、未刈り側の植立穀稈のひっかかりによる穀稈の千切れや押倒しを招き、また、開閉切替部に損傷を受ける場合があった。
【０００５】
本発明の目的は、開閉式ナローガイド装置の開閉切替部による植立穀稈の千切れや押倒しを防止するとともに、同開閉切替部の損傷を回避することができるコンバインを提供することにある。
【課題を解決するための手段】
【０００６】
請求項１に係る発明は、刈取部（３）から機体外側に沿って前後方向に延びるロッド部材による分草ガイド（１３）と、この分草ガイド（１３）を機体の外側方に張り出させて植立穀稈をガイドする張出位置と機体に近接する収納位置とに切替える折畳みリンクによる開閉機構（１４）とからなる開閉式ナローガイド装置（７）を備えるコンバインにおいて、
上記開閉機構（１４）は、折畳みリンクの駆動側リンク（１４ａ）と一体で回動する駆動軸（１４ｂ）を刈取部（３）の外側の部位に軸支するとともに、該駆動軸（１４ｂ）の下端に駆動軸（１４ｂ）を正逆方向に回動させる開閉切替部（１５）を備え、かつ、平面視において該開閉切替部（１５）の動作領域を囲むように前後に延びるロッド部材からなる補助分草体（１６）を設けたことを特徴とするコンバインとする。
【０００７】
上記分草ガイド（１３）の開閉機構（１４）は、その駆動軸（１４ｂ）が刈取部（３）の外側の部位に軸支され、この駆動軸（１４ｂ）の下端の開閉切替部（１５）によって分草ガイド（１３）の位置の切替えを行い、この開閉切替部（１５）は、その外周に沿って延びるロッド部材による補助分草体（１６）により、圃場の植立穀稈との干渉が回避される。したがって、開閉機構（１４）の開閉切替部（１５）による植立穀稈の巻込み、押倒しを防止するとともに、開閉機構（１４）の損傷を防止することができる。
【０００８】
請求項２に係る発明は、前記補助分草体（１６）は、刈取部（３）に設けた取付部材（２３，２４）を介して着脱可能に取付けたことを特徴とする請求項１記載のコンバインとする。
補助分草体（１６）を取付部材（２３，２４）から取外して単体で取扱うことができるので、搬送、移動、作業における接触変形によるメンテナンスの必要に応じ、取外すことによって容易に補修、交換をすることができる。
【０００９】
請求項３に係る発明は、前記補助分草体（１６）を開閉機構（１４）の開閉切替部（１５）よりも低い位置に配置したことを特徴とする請求項１または請求項２記載のコンバインとする。
補助分草体（１６）が開閉機構（１４）よりも低い位置まで及ぶことから、開閉機構（１４）は圃場面の突起との干渉が回避されて巻込みや干渉による損傷を防止することができる。
【発明の効果】
【００１０】
請求項１に係る発明は、開閉機構（１４）の折畳みリンクの駆動側リンクの駆動軸（１４ｂ）を刈取部（３）の外側の部位に軸支するとともに、該駆動軸（１４ｂ）の下端に駆動軸（１４ｂ）を回動させる開閉切替部（１５）を備え、平面視において該開閉切替部（１５）の動作領域を囲むように前後に延びるロッド部材からなる補助分草体（１６）を設けたことから、刈取部（３）の外側方に突出する駆動軸（１４ｂ）の下端の開閉切替部（１５）によって分草ガイド（１３）の位置が切替えられ、この開閉切替部（１５）は、その外周に沿って延びるロッド部材からなる補助分草体（１６）により、圃場の植立穀稈との干渉が回避される。したがって、開閉機構（１４）の開閉切替部（１５）による植立穀稈の千切れや押倒しを防止するとともに、開閉機構（１４）の損傷を防止することができる。
【００１１】
請求項２に係る発明は、請求項１の発明の効果に加え、刈取部（３）に設けた取付部材（２３，２４）を介して補助分草体（１６）を着脱可能に取付けたことから、補助分草体（１６）を取付部材（２３，２４）から取外して単体で取扱うことができるので、搬送、移動、作業における接触変形によるメンテナンスの必要に応じ、補助分草体（１６）を取外すことによって容易に補修、交換をすることができる。
【００１２】
請求項３に係る発明は、請求項１の発明の効果に加え、補助分草体（１６）を開閉機構（１４）の開閉切替部（１５）よりも低い位置に配置したことから、開閉切替部（１５）を含む開閉機構（１４）は圃場面の突起との干渉が回避されて巻込みや干渉による損傷を防止することができる。
【図面の簡単な説明】
【００１３】
【図１】適用対象のコンバインの正面図
【図２】刈取部のフレーム構成の平面図
【図３】開閉式ナローガイド装置の要部平面図（ａ）およびその側面図（ｂ）
【図４】刈取部の側面図
【図５】図４のＡ矢視図
【図６】図５の要部拡大図
【図７】刈刃駆動部の動作説明図（ａ〜ｃ）
【図８】刈刃駆動部の拡大側面図
【図９】別の構成によるスライド部材の拡大側面図
【図１０】接地部材を設けた刈取部の側面図
【図１１】接地部材の取付時の拡大横断面図
【図１２】ショベルを設けた刈取部の側面図
【図１３】ショベルを設けた刈取部の正面図
【図１４】ショベルの分解斜視図
【発明を実施するための形態】
【００１４】
上記技術思想に基づいて具体的に構成された実施の形態について以下に図面を参照しつつ説明する。
本発明の適用対象のコンバイン１は、図１のコンバインの正面図に示すように、圃場走行可能な支持機台２の前方で昇降調節可能な刈取部３と、その後方に左右に配置の脱穀部４および貯留部５と、この貯留部５の前側に配置の操縦部６等によって構成され、刈取部３から脱穀部４の側面部におよぶ開閉式ナローガイド装置７を備える。
【００１５】
刈取部３には、図２の刈取部のフレーム構成の平面図に示すように、刈取条間と対応配置した分草杆１１，１１を前側に延出支持するを備える。開閉式ナローガイド装置７は、主として未刈側となる脱穀部４の側の分草フレーム１２の先端から機体中段高さ位置を機体外側に沿って機体後部に延びるロッド部材による分草ガイド１３と、この分草ガイド１３と連結する折畳みリンクによる開閉機構１４と、その駆動側リンク１４ａの駆動軸１４ｂを操縦部６に配置した開閉操作用のレバー１７によって正逆方向に回動動作させる等長アームによる開閉切替部１５とから構成され、この開閉切替部１５の外側を迂回するように補助分草体１６を設ける。
【００１６】
詳細には、開閉式ナローガイド装置の要部平面図（ａ）およびその側面図（ｂ）を図３に示すように、刈取部３には、左右の分草フレーム１２，１２の後端部を下側から一体支持する角パイプによる刈取横フレーム２１を設け、この刈取横フレーム２１の中空部に開閉操作用のレバー１７と連結して相反動作する複動構成の２本の操作ワイヤ２２，２２を挿通した上で、その側端口から機体後部側にＬ字状に案内する。
【００１７】
開閉機構１４は、駆動側リンク１４ａと連結する従動リンク１４ｃを分草ガイド１３と連結して折畳み可能に構成する。駆動側リンク１４ａには一体に駆動軸１４ｂ構成し、分草フレーム１２の後端外側位置に設けた取付部材２３に駆動軸１４ｂを軸支する。開閉切替部１５は、駆動軸１４ｂの直径線上に延びる等長アームによって駆動軸１４ｂの下端の刈取横フレーム２１の高さ位置に一体に構成し、その両端に２本の操作ワイヤ２２，２２を連結して正逆方向に回動動作させる複動リンクを構成する。
【００１８】
補助分草体１６は、平面視において駆動軸１４ｂの開閉切替部１５の動作領域を囲んで前後に延びるロッド部材を上下に屈曲して駆動軸１４ｂより下位に及ぶ範囲に構成する。その先端部は、分草フレーム１２の前後方向の中間位置の外側部に取付部材２４を設けてボルト２４ａの締結により接続し、また、後端部は、取付部材２３にボルト２３ａの締結により接続する。
【００１９】
上記構成の開閉式ナローガイド装置７は、レバー操作によって複動動作する２本の操作ワイヤ２２，２２と開閉切替部１５を介して開閉機構１４を開閉動作させ、機体の外側方に突出する張出位置と機体に近接する収納位置に分草ガイド１３の位置を切替え可能に構成され、その開閉機構１４の開閉切替部１５は、その外周には位置したロッド部材による補助分草体１６によって圃場の植立穀稈との干渉が回避される。
【００２０】
したがって、機体の前後進の際の開閉切替部１５による植立穀稈の巻込み、押倒しを防止するとともに、同開閉切替部１５の損傷を防止することができる。また、補助分草体１６は、開閉機構１４の駆動軸１４ｂより低位に及んで構成することにより、開閉機構１４は、その開閉切替部１５を含め、圃場面の突起との干渉が回避されて巻込みや干渉による損傷を防止することができる。
【００２１】
また、上記補助分草体１６は、刈取部３に設けた取付部材２３，２４を介して着脱可能に構成したことから、補助分草体１６を取付部材２３，２４から取外して単体で取扱うことができるので、搬送、移動、作業における接触変形によるメンテナンスの必要に応じ、取外すことによって容易に補修、交換をすることができる。
【００２２】
（刈刃装置）
次に、刈取部３の刈刃装置について説明する。
刈刃装置３１は、刈取部３の側面図およびそのＡ矢視図を図４、図５にそれぞれ示すように、刈取部３の刈取伝動ケース３２の前側に近接して左右全幅に及ぶ固定刃３３ａと、この固定刃３３ａに接して左右に往復動作可能に支持した可動刃３３ｂとから構成され、この可動刃３３ｂには左右駆動用のスライド溝３４ａを形成したＵ型受部３４を取付プレート３４ｂによって一体に固定する。
【００２３】
Ｕ型受部３４は、図５の要部拡大図を図６に示すように、可動刃３３ｂの往復動作方向と直交する上下の方向に延びる備え、このＵ型受部３４のスライド溝３４ａに内接するスライド面３５ａを両側に形成してスライド動作可能にポリウレタン樹脂等の耐摩材によるスライド部材３５を設け、このスライド部材３５にボールベアリング等の軸受３６を埋め込んでクランクアーム３７の半径Ｒの位置に形成した偏心ピン３７ａを軸支して刈刃駆動部を構成する。
【００２４】
上記構成の刈刃駆動部は、図７の動作説明図（ａ〜ｃ）に示すように、クランクアーム３７の回転動作により偏心ピン３７ａが半径Ｒの公転動作をすると、スライド部材３５を介してＵ型受部３４と一体の可動刃３３ｂが左右方向に±Ｒの範囲で往復駆動され、固定刃３３ａと可動刃３３ｂとにより刈取り穀稈を切断する。
【００２５】
この時、スライド部材３５は、その片側のスライド面３５ａをＵ型受部３４のスライド溝３４ａに内接して切断駆動力を作用することから、その接触圧力が接触面に一様に平均化されて小さく抑えられることから、従来の円形部材の部分接触による大きな接触圧力とそれに伴う摩擦力増加を回避することができる。したがって、上記構成によって刈刃装置の耐久性、防振、防音性の向上とともに、衝撃破損を防止しつつ高速化による刈取作業の高速化が可能となることから、コンバインの作業能率の向上が可能となる。
【００２６】
また、上記構成の刈刃駆動部について、図８の拡大側面図に示すように、スライド部材３５がその上昇限度位置においてＵ型受部３４の上端から所定高さＢまで突出するように構成することにより、スライド部材３５が下降したときにＵ型受部３４のスライド溝３４ａに入り込んだ泥やゴミ等の異物が上端から外に押し出され、スライド面が清浄に保たれることから、スライド面に異物が介在することによる摩耗を防止することができる。
【００２７】
また、別の構成によるスライド部材を図９の拡大側面図に示すように、スライド部材３５の長さと幅を共通の寸法として左右と上下の４面をスライド面３５ａとすることにより、縦横の区別なしに容易に組付けすることができ、面圧も高くできるので、高耐久化が可能となる。さらに、摩耗状態を確認できるように升目状の摩耗限度線３５ｂを設け、摩耗時に９０°回転して再組付けすることによって耐久性延長が可能となる。
【００２８】
（刈取接地部材）
図１０の刈取部の側面図に示すように、刈取部３の下端部の丸パイプによる前フレーム４１にソリ状の接地部材４２を設け、この接地部材４２を圃場面に接地して刈取部３を所定の高さ位置に支持可能に構成する。接地部材４２は、図１１の拡大横断面図に示すように、その一方の側端部からＬ型に立上がる取付部材４３を設けて上下に延びる長穴を形成し前フレームの片側位置にボルトＢで固定することにより、下位取付け状態（ａ）から上位取付け状態（ｂ）まで高さ調節可能に構成する。
【００２９】
上記構成の接地部材４２により、通常の収穫走行時は、接地部材４２を下位取付けによって引起ラグ４４の下端を分草フレーム４１より隙間を空けて上部に設定して刈取部３を圃場面より高い一定位置に保持し、一方、完全倒伏の穀稈の収穫時は、接地部材４２を上位取付けとし、引起ラグ４４が倒伏杆に掛かる位置まで前フレーム４１が圃場に沈むように刈取部３を低く保持する。
【００３０】
従来の接地部材は、分草フレーム４１の下で高さ調節可能に構成されていたことから、分草フレーム４１を圃場面まで下げることができず、完全倒伏穀稈の収穫に対応できなかったが、上記のように接地部材を分草フレーム４１の片側位置で分草フレームより高く固定できるように調節代を設けることにより、下位取付けにより刈取部３を圃場面より高くフローティング保持して一定高さで収穫走行することができ、また、上位取付けにより前フレーム４１が圃場面に沈むように刈取部３を低く保持することにより、完全倒伏の穀稈を引起しつつ収穫走行することができる。
【００３１】
（スクレーパ）
次に、刈取部のスクレーパとしてのショベルについて説明する。
刈取部３には、その側面図と正面図を図１２および図１３に示すように、落下泥土清掃のために、路上についた泥やワラ屑を剥ぎ取るスクレーパとして、外付け型のスクレーパショベル５１を設ける。
【００３２】
ショベル５１は、図１４の分解斜視図に示すように、半円状のスクレーパ部５２の両側にアーム５３，５３を設け、刈取部３の前面部に左右の分草杆に横方向にまたがって刈刃装置の可動刃３３ｂと連結して左右動作可能に構成する。ショベル高さはラグ作用高さとし、ラグ作用をカバーして泥の巻き込みを防止するように外部接続することにより、ショベルと刈刃を連結連動させて道路にへばりついた泥を分離させつつ、ショベルで道路に落ちた泥を集めたり、圃場に落とし込んで清掃することができる。
【００３３】
上記ショベル５１は、上記構成に限ることなく、必要により、左右の分草杆先端と前フレーム側面に設置し、固定するように構成してもよく、また、ラグ作用高さより高く固定してラグ作用を用いることにより泥の差込を防止することができる。
【符号の説明】
【００３４】
１      コンバイン
２      支持機台
３      刈取部
４      脱穀部
７      開閉式ナローガイド装置
１１    分草杆
１２    分草フレーム
１３    分草ガイド
１４    開閉機構
１４ａ  駆動側リンク
１４ｂ  駆動軸
１４ｃ  従動リンク
１５    開閉切替部
１６    補助分草体
２３    取付部材
２３ａ  ボルト
２４    取付部材
２４ａ  ボルト
【図１】
0005610136.tif 000002
【図２】
0005610136.tif 000003
【図３】
0005610136.tif 000004
【図４】
0005610136.tif 000005
【図５】
0005610136.tif 000006
【図６】
0005610136.tif 000007
【図７】
0005610136.tif 000008
【図８】
0005610136.tif 000009
【図９】
0005610136.tif 000010
【図１０】
0005610136.tif 000011
【図１１】
0005610136.tif 000012
【図１２】
0005610136.tif 000013
【図１３】
0005610136.tif 000014
【図１４】
0005610136.tif 000015